(57)【要約】【課題】ユーザの指の可動範囲が制約されやすくても、操作領域における指の座標位置を表示領域の端部領域まで反映することが容易であり、操作精度も向上した表示入力装置を提供することを目的としている。【解決手段】筐体１１０と、筐体１１０に配置され表示領域を有する表示パネルと、筐体１１０に配置され操作領域１３２を有する操作パネル１３０とを備え、操作領域１３２に接触させたユーザの指の移動方向と、表示領域に表示されたポインタの移動方向とを対応させており、操作領域１３２に対して斜め方向の第１方向にユーザの指を移動させた時、ポインタは表示パネルに対して表示領域を縦方向に移動し、操作領域１３２に対して斜め方向の第２方向にユーザの指を移動させた時、ポインタは表示パネルに対して表示領域を横方向に移動する構成である。【選択図】図４Ｂ
2013020332.tif 000002
【特許請求の範囲】
【請求項１】
筐体と、前記筐体に配置され表示領域を有する表示パネルと、前記筐体に配置され操作領域を有する操作パネルとを備え、
前記操作領域に接触させたユーザの指の移動方向と、前記表示領域に表示されたポインタの移動方向とを対応させており、
前記操作領域に対して斜め方向の第１方向に前記ユーザの指を移動させた時、前記ポインタは前記表示パネルに対して前記表示領域を縦方向に移動し、
前記操作領域に対して斜め方向の第２方向に前記ユーザの指を移動させた時、前記ポインタは前記表示パネルに対して前記表示領域を横方向に移動する
表示入力装置。
【請求項２】
前記第１方向は、前記第２方向に向かって第１角度を有する方向を含み、
前記第２方向は、前記第１方向に向かって第２角度を有する方向を含む
請求項１に記載の表示入力装置。
【請求項３】
前記第１方向は、前記第２方向に向かって第１角度を有する方向を含み、
前記第２方向は、前記第１方向に向かって第２角度を有する方向を含み、
前記第１方向と前記第２方向は互いに直交する領域を含む
請求項１に記載の表示入力装置。
【請求項４】
前記第１方向と前記第２方向との間に位置する方向は、前記ポインタが前記表示領域を移動しない方向とした
請求項３に記載の表示入力装置。
【請求項５】
前記ユーザの指の移動方向は、前記操作領域に前記ユーザの指を伸ばして接触させた時、前記ユーザの指の伸ばした方向を前記第１方向とした
請求項１に記載の表示入力装置。
【発明の詳細な説明】
【技術分野】
【０００１】
ここに開示された技術は、表示領域を有する表示パネルと、表示パネルの裏面側に配置され操作領域を有する操作パネルとを備えた表示入力装置に関する。
【背景技術】
【０００２】
近年、携帯型のコンピュータや電子手帳等の携帯端末が普及している。このような携帯端末には、ユーザの利便性を考慮した様々な表示入力装置が配置されている。
【０００３】
以下、従来の表示入力装置について説明する。
【０００４】
従来の表示入力装置は、例えば、表示領域を有する表示パネルと、表示パネルの裏面側に配置され操作領域を有する操作パネルと、操作領域における座標位置を表示領域における座標位置に変換する変換部を備えている。
【０００５】
表示パネルの表示領域は、液晶等を用いた表示デバイスで形成されている。操作パネルの操作領域は、静電容量方式等を用いたタッチパッドデバイスで形成されている。このタッチパッドデバイスを用いることによって、ユーザが操作領域に指を接触させると静電容量の変化が検出されて、操作領域におけるユーザの指の座標位置を特定することができる。
【０００６】
変換部は、操作領域におけるユーザの指の座標位置を表示領域における座標位置に変換する。この結果、操作パネルの操作領域に接触させたユーザの指の位置が、表示パネルの表示領域に反映される。
【０００７】
このような表示入力装置を備えた携帯端末をユーザは片手または両手で保持して使用する。携帯端末を両手で保持する場合、ユーザは、表示パネル側にユーザの親指を配置し、操作パネル側にユーザの人差し指から小指までを配置して、携帯端末を保持する。
【０００８】
ユーザが、操作パネル側に配置した人差し指を操作領域に接触させると、操作領域における人差し指の座標位置が特定される。特定された操作領域における人差し指の座標位置は変換部によって表示領域における座標位置に変換される。そして、操作領域における人差し指の座標位置は、例えば、ポインタによって表示領域に反映され、ユーザが目視できる状態となる。このポインタは様々な形状や表示方法に基づいて表示可能である。
【０００９】
ユーザは、携帯端末を使用して実行したいアプリケーションソフトウェアを起動させる。このアプリケーションソフトウェアとしては、ゲームや音楽や映像や写真等の各種のコンテンツを起動させるソフトェアが該当する。
【００１０】
これらのアプリケーションソフトウェアを起動させたり、起動させたアプリケーションソフトウェアを制御したりするために、ユーザは操作領域に接触させた人差し指を移動させて、表示領域に反映されたポインタをアプリケーションソフトウェアに対する入力ツールとして用いる。
【００１１】
このような表示入力装置を用いた携帯端末としては、例えば、特許文献１〜５に開示されたものがある。
【００１２】
特許文献１にはデジタルフォトフレームが開示されている。タッチパネルに人差し指を接触させて、人差し指を上下左右に移動させたり、タップさせたりする操作によって、画像のスクロールや回転等を行わせるものである。
【００１３】
特許文献２には特定マークとしてポインタが表示される情報処理装置が開示されている。表示画面の裏面側に配置されたタブレットに指やペンを接触させて、ポインタを入力ツールとして用いるものである。
【００１４】
特許文献３には携帯端末を保持するユーザの持ち手をセンサによって判断する構成が開示されている。
【００１５】
特許文献４には携帯端末を保持するユーザの持ち手をタッチスクリーンに入力された斜線によって判断する構成が開示されている。
【００１６】
特許文献５にはタッチスクリーンを介した入力に基づいてユーザの持ち手を判断し、持ち手に合ったユーザインタフェースが開示されている。
【先行技術文献】
【特許文献】
【００１７】
【特許文献１】特開２０１０−１０８０７１号公報
【特許文献２】特開平１１−３９０９３号公報
【特許文献３】特開２００９−１６３２７８号公報
【特許文献４】特開２００２−３１８６４０号公報
【特許文献５】特開２００９−２９４７２５号公報
【発明の概要】
【発明が解決しようとする課題】
【００１８】
上記従来の携帯端末に配置された表示入力装置は、タッチパネル等の操作領域に接触させた指の座標位置を表示領域に表示されたポインタの座標位置に対応づける。そして、ユーザは、ポインタを入力ツールとして携帯端末のアプリケーションソフトェアを起動させたり制御したりする。ユーザが携帯端末を使用する際は、ユーザは携帯端末を保持しながら指を操作領域で移動させるので、指の可動範囲が制約されやすい。特に、ユーザが携帯端末を片手で保持し、その保持した側の手の指を操作領域で移動させる際は、指の可動範囲が大きく制約される。
【００１９】
また、ユーザの指を接触させる操作領域は表示領域の背面側にあるので、ユーザは指を目視できない。したがって、操作領域を操作する実際の指の動作とユーザが意図する指の動作に差分が生じることもある。
【００２０】
このように従来の携帯端末に配置された表示入力装置は、ユーザの指の可動範囲が制約され、操作領域における指の座標位置を表示領域の端部領域まで反映することが難しい場合がある。また、実際の指の動作がユーザの意図しない動作になることがあり、操作精度も悪い。
【００２１】
ここに開示された技術は、ユーザの指の可動範囲が制約されやすくても、操作領域における指の座標位置を表示領域の端部領域まで反映することが容易であり、操作精度も向上した表示入力装置を提供することを目的としている。
【課題を解決するための手段】
【００２２】
上記目的を達成するためにここに開示された技術は、以下の構成を有する。
【００２３】
ここに開示された技術における表示入力装置は、筐体と、前記筐体に配置され表示領域を有する表示パネルと、前記筐体に配置され操作領域を有する操作パネルとを備え、前記操作領域に接触させたユーザの指の移動方向と、前記表示領域に表示されたポインタの移動方向とを対応させており、前記操作領域に対して斜め方向の第１方向に前記ユーザの指を移動させた時、前記ポインタは前記表示パネルに対して前記表示領域を縦方向に移動し、前記操作領域に対して斜め方向の第２方向に前記ユーザの指を移動させた時、前記ポインタは前記表示パネルに対して前記表示領域を横方向に移動する構成である。
【発明の効果】
【００２４】
ここに開示された技術によれば、操作領域に対して斜め方向の第１方向にユーザの指を移動させた時、ポインタは表示パネルに対して表示領域を縦方向に移動し、操作領域に対して斜め方向の第２方向にユーザの指を移動させた時、ポインタは表示パネルに対して表示領域を横方向に移動する。すなわち、ユーザの指を動かす第１方向と第２方向は、表示領域の縦方向または横方向でなくても、ポインタを表示領域の縦方向または横方向に移動させることができる。
【００２５】
操作領域に対してユーザが指を斜めに配置すると、指の曲げ伸ばしの方向が操作領域に対して斜め方向となる。この指の曲げ伸ばしの方向を第１方向とし、この第１方向と直交する方向を第２方向とすると、ユーザは片手で携帯端末を保持できるとともに、操作領域で無理なく指を移動させることができる。
【００２６】
この結果、ユーザの指の可動範囲は制約されにくくなる。すなわち、ユーザは操作領域で無理なく指を移動させることができので、操作領域における指の座標位置を表示領域の端部領域まで反映しやすくなる。また、ユーザは操作領域で無理なく指を移動させることができるので、操作精度も向上する。
【図面の簡単な説明】
【００２７】
【図１】一実施の形態における携帯端末の表示パネル側の斜視図
【図２】同携帯端末の操作パネル側の斜視図
【図３】同携帯端末の構成を示すブロック図
【図４Ａ】同携帯端末をユーザが片手で保持した表示パネル側を示す説明図
【図４Ｂ】同携帯端末をユーザが片手で保持した操作パネル側を示す説明図
【図５Ａ】伸ばした指の可動範囲を示す図４Ｂの拡大背面図
【図５Ｂ】伸ばした指の接触面積を示す図４Ｂの拡大背面図
【図６Ａ】折り曲げた指の可動範囲を示す図４Ｂの拡大背面図
【図６Ｂ】折り曲げた指の接触面積を示す図４Ｂの拡大背面図
【図７】操作領域における指の配置と移動方向を示す説明図
【図８Ａ】指の移動方向と範囲との関係を示す説明図
【図８Ｂ】指の移動方向と範囲との関係を示す説明図
【発明を実施するための形態】
【００２８】
以下、一実施の形態における携帯端末について図面を参照しながら説明する。
【００２９】
＜１．携帯端末１００の概略構成＞
本実施の形態における携帯端末の概略構成について説明する。
【００３０】
携帯端末は、グラフィカルユーザインターフェース（以下、ＧＵＩという）を用いたものである。このＧＵＩは、コンピュータグラフィックスとポインティングデバイスを用いた操作を提供する。
【００３１】
図１および図２において、携帯端末１００は、筐体１１０と、この筐体１１０の正面側に配置された表示パネル１２０と、この表示パネル１２０の裏面側に配置された操作パネル１３０と、表示パネル１２０の下部に配置された複数の入力ボタン１４０を備えている。
【００３２】
表示パネル１２０は表示領域１２２を有し、この表示領域１２２は液晶等を用いた表示デバイスで形成されている。この表示領域１２２には、携帯端末１００を使用して実行したいアプリケーションソフトウェアがコンピュータグラフィックスとして表示される。このアプリケーションソフトウェアとしては、ゲームや音楽や映像や写真等、携帯端末１００で起動される様々なものが該当する。図１では、このアプリケーションソフトウェアに対応したアイコン１２４が表示領域１２２に表示されている。このアイコン１２４を介してアプリケーションソフトウェアを起動させる。
【００３３】
図２に示すように、操作パネル１３０は操作領域１３２を有し、この操作領域１３２は静電容量方式等を用いたタッチパッドデバイスで形成されている。このタッチパッドデバイスを用いることによって、ユーザが操作領域１３２に指を接触させると静電容量の変化が検出されて、操作領域１３２におけるユーザの指の座標位置を特定することができる。また、操作領域１３２に対するユーザの指の配置状態に基づいて、ユーザの指の可動範囲１５０が制約される。図２では、ユーザの指の可動範囲１５０において、ユーザの指の座標位置の例として、座標Ａが表示されている。このタッチパッドデバイスは、ユーザの指の座標位置を特定するためのポインティングデバイスの一つであるが、ユーザの指の座標位置を特定できるものであれば、その他のポインティングデバイスを用いても良い。
【００３４】
図３に示すように、携帯端末１００は、操作領域１３２における座標位置を表示領域１２２における座標位置に変換する変換部１５５を備えている。この変換部は、ユーザの指の操作領域１３２における操作座標位置と表示領域１２２の表示座標位置とを対応させて変換するものである。この結果、操作パネル１３０の操作領域１３２に接触させたユーザの指の位置が、表示パネル１２０の表示領域１２２に反映される。
【００３５】
このように、本実施の形態における携帯端末１００では、表示パネル１２０と操作パネル１３０と変換部１５５によって表示入力装置１６０が構成されている。
【００３６】
＜２．携帯端末１００の使用＞
ユーザが携帯端末１００を使用する状態について説明する。
【００３７】
図４Ａ、図４Ｂに示すように、このような表示入力装置１６０を備えた携帯端末１００をユーザは片手で保持して使用する。図４Ａ、図４Ｂに示すように、ユーザが携帯端末１００を片手で保持した場合は、表示パネル１２０側にユーザの親指と中指と薬指と小指を配置し、操作パネル１３０側にユーザの人差し指を配置して、携帯端末１００を保持する。
【００３８】
図４Ｂに示すように、ユーザが、操作パネル１３０側に配置した人差し指を操作領域１３２に接触させると、操作領域１３２における人差し指の座標位置が特定される。操作領域１３２における人差し指の座標位置は変換部１５５によって、表示パネル１２０の表示領域１２２における座標位置に変換される。そして、操作領域１３２における人差し指の座標位置は、図４Ａに示すように、ポインタ１２６によって表示領域１２２に反映され、ユーザが目視できる状態となる。このポインタ１２６は様々な形状や表示形態に基づいて表示することができる。
【００３９】
ユーザは、携帯端末１００を使用して実行したいアプリケーションソフトウェアを起動させる。これらのアプリケーションソフトウェアを起動させたり、起動させたアプリケーションソフトウェアを制御したりするために、ユーザは操作領域１３２に接触させた人差し指を移動させて、表示領域１２２に反映されたポインタ１２６をアプリケーションソフトウェアに対する入力ツールとして用いる。
【００４０】
具体的には、ポインタ１２６をアイコン１２４に対応させ、表示パネル１２０の下部に配置された複数の入力ボタン１４０を用いて、入力を決定すればよい。または、アイコン１２４上で、操作領域１３２における人差し指をタップしたり、操作領域１３２を指で押圧して接触圧を大きくしたりすればよい。入力の決定前後の区別ができる方法であれば、これらの方法以外の他の方法でもよい。
【００４１】
＜３．携帯端末１００を片手で保持したユーザの指の可動範囲１５０＞
操作パネル１３０の操作領域１３２におけるユーザの指の可動範囲１５０について説明する。
【００４２】
図４Ａ、図４Ｂに示すように、携帯端末１００を使用する際、ユーザは片手で携帯端末１００を保持し、ユーザの人差し指を操作パネル１３０の操作領域１３２に接触させる。このとき、携帯端末１００を保持した手の人差し指の可動範囲１５０は制約される。この人差し指の可動範囲１５０は、人差し指を、折り曲げたり、伸ばしたり、ずらしたりすることが可能なある程度の範囲に制約されてしまう。
【００４３】
＜３−１．携帯端末１００を片手で保持したユーザの指の配置＞
ユーザが携帯端末１００を保持した際に想定される代表的な指の配置は、図５Ａ、図６Ａに示すものである。図５Ａ、図６Ａでは、人差し指を除いた４本の指で携帯端末１００を握り締めるように保持し、人差し指を操作領域１３２において、第１方向や第２方向に移動させる。この持ち方は、携帯端末１００が縦方向に長い形状をしている場合に多い。
【００４４】
＜３−２．ユーザの指が伸ばされた状態＞
まず、ユーザの指が伸ばされた状態で操作領域１３２に接触させた場合について説明する。図５Ａに示すように、ユーザの指が伸ばされた状態で操作領域１３２に接触させた場合には、図５Ｂに示すように、操作領域１３２に対する指の接触面積は広く、その輪郭線１７０ａは縦方向に長い楕円形に近くなる。接触面積が広いことから指が伸ばされていると判断できる。なお、ユーザの指が折り曲げられた状態で操作領域１３２に接触させた場合には、操作領域に１３２に対する指の接触面積は狭く、その輪郭線１７０ｂは横方向に長い楕円形に近くなる。
【００４５】
次に、縦方向における指の可動範囲１５０について説明する。指が伸ばされていることから、指の可動範囲１５０は、現在の接触点よりも上方には存在せず、指の可動範囲１５０は、図５Ａ、図５Ｂの線分Ｃよりも下方となる。また、指が伸ばされた状態から折り曲げた状態にすると、指の可動範囲１５０は、折り曲げた指の接触点よりも下方には存在せず、指の可動範囲１５０は、図５Ａ、図５Ｂの線分Ｄよりも上方となる。
【００４６】
次に、横方向における指の可動範囲１５０について説明する。横方向の可動範囲１５０は、初期値として所定の距離を設定しておき、ユーザの操作状況から動的に調整する必要がある。これは、ユーザの持ち方によって、指の可動範囲１５０が大きく変化するためである。初期値は、携帯端末１００の大きさや重さによって適宜調整する必要がある。しかし、一般的には、液晶画面の縦横比に合わせるのが好適である。たとえば横：縦＝３：４の液晶画面を備えた携帯端末１００では、縦横の操作感が一致するように、（縦方向の指の可動範囲１５０）×３÷４ｃｍ程度が好適となる。すなわち、指の可動範囲１５０は、図５Ａ、図５Ｂの線分Ａと線分Ｂとの間となる。
【００４７】
このようにユーザの指が伸ばされた状態で操作領域１３２に接触させた場合、線分Ａ〜線分Ｄに基づいて指の可動範囲１５０が制約される。なお、線分Ａ〜線分Ｄは指の移動のさせ方や指の位置によって多少のずれ幅を有する。
【００４８】
ここで、横方向における指の可動範囲１５０を動的に調整する方法について説明する。ユーザは表示領域１２２に表示されたアプリケーションソフトウェアを見ながら操作領域１３２を操作する。図４Ａにおいて、表示領域１２２の左端にポインタ１２６を移動させたいのに、ポインタ１２６が表示領域１２２の左端に届かない場合には、図４Ｂにおいて、ユーザは操作領域１３２を右側に何度もなぞる操作をすることになる。この場合には、左方向の可動範囲１５０が狭くなるように再設定する必要がある。同様に、図４Ａにおいて、表示領域１２２の右端にポインタ１２６を移動させたいのに、ポインタ１２６が表示領域１２２の右端に届かない場合には、図４Ｂにおいて、ユーザは操作領域１３２を左側になぞる操作を繰り返すことになる。この場合には、右方向の可動範囲１５０が狭くなるように再設定する必要がある。
【００４９】
すなわち、操作領域１３２における操作座標位置の単位変位量に対して、表示領域１２２における表示座標位置の変位量を大きくするように調整すればよい。この結果、操作領域１３２における指の左右方向の移動に対して、表示領域１２２におけるポインタ１２６の移動量が大きくなり、ユーザは操作領域１３２を何度もなぞる必要がなくなる。
【００５０】
これとは反対に、ユーザが操作領域１３２上の狭い範囲で左右方向に細かく位置を調整する操作を繰り返してポインタ１２６の座標位置を調整する必要がある場合には、可動範囲１５０を大きく再設定することにより、ユーザは細かい位置を指示し易くなる。
【００５１】
すなわち、操作領域１３２における操作座標位置の単位変位量に対して、表示領域１２２における表示座標位置の変位量を小さくするように調整すればよい。この結果、操作領域１３２における指の左右方向の移動に対して、表示領域１２２におけるポインタ１２６の移動量が小さくなり、ユーザは操作領域１３２上の狭い範囲で細かく位置を調整する必要がなくなる。
【００５２】
このようにユーザの操作特徴を基に、左右方向の可動範囲１５０を調整してユーザの操作感を向上させることができる。
【００５３】
＜３−３．ユーザの指が折り曲げられた状態＞
ユーザの指が折り曲げられた状態で操作領域１３２に接触させた場合について説明する。図６Ａに示すように、ユーザの指が折り曲げられた状態で操作領域１３２に接触させた場合には、図６Ｂに示すように、操作領域１３２に対する指の接触面積は狭く、その輪郭線１７０ｂは横方向に長い楕円形に近くなる。接触面積が狭いことから指が折り曲げられていると判断できる。なお、ユーザの指が伸ばされた状態で操作領域１３２に接触させた場合には、操作領域１３２に対する指の接触面積は広く、その輪郭線１７０ａは縦方向に長い楕円形に近くなる。
【００５４】
次に、縦方向における指の可動範囲１５０について説明する。指が折り曲げられていることから、指の可動範囲１５０は、現在の接触点よりも下方には存在せず、指の可動範囲１５０は、図６Ａ、図６Ｂの線分Ｄよりも上方となる。また、指が折り曲げられた状態から伸ばされた状態にすると、指の可動範囲１５０は、伸ばされた指の接触点よりも上方には存在せず、指の可動範囲１５０は、図６Ａ、図６Ｂの線分Ｃよりも下方となる。
【００５５】
なお、横方向における指の可動範囲１５０については、上述した指が伸ばされた状態と同じである。すなわち、指の可動範囲１５０は、図６Ａ、図６Ｂの線分Ａと線分Ｂとの間となる。
【００５６】
また、横方向における指の可動範囲１５０を動的に調整する方法については、上述した指が伸ばされた状態と同じである。
【００５７】
＜３−４．指の移動方向＞
本実施の形態における携帯端末１００は、操作領域１３２に接触させたユーザの指の移動方向と、表示領域１２２に表示されたポインタ１２６の移動方向とを対応させている。図５Ａ〜図６Ｂに示すように、操作領域１３２に対して斜め方向の第１方向にユーザの指を移動させた時、図４Ａに示すように、ポインタ１２６は表示パネル１２０に対して表示領域１２２を縦方向に移動する。また、操作領域１３２に対して斜め方向の第２方向にユーザの指を移動させた時、図４Ａに示すように、ポインタ１２６は表示パネル１２０に対して表示領域１２２を横方向に移動する。
【００５８】
すなわち、ユーザの指を移動させる第１方向と第２方向は、表示領域１２２の縦方向または横方向でなくても、ポインタ１２６を表示領域１２２の縦方向または横方向に移動させることができる。
【００５９】
操作領域１３２に対してユーザが指を斜めに配置すると、図５Ａ〜図６Ｂに示すように、指の曲げ伸ばしの方向（矢印方向）が操作領域１３２に対して斜め方向となる。この指の曲げ伸ばしの方向を第１方向とし、この第１方向と直交する方向（矢印方向）を第２方向とすると、ユーザは片手で携帯端末１００を保持できるとともに、操作領域１３２で無理なく指を移動できる。ユーザの指の移動方向である第１方向は、操作領域１３２にユーザの指を伸ばして接触させた時、指の接触状態に基づいて判断させるようにしてもよいし、指を伸ばしたり折り曲げたりした時、その軌跡の状態に基づいて判断させるようにしてもよい。
【００６０】
なお、図５Ａ〜図６Ｂにおいて、第２方向は第１方向に対して直交方向としているが、弧状としてもよい。これは、指の先端は指の付け根付近を中心に移動するので、大きく指を移動させる場合、第２方向は第１方向に対して直交方向よりも、指の付け根付近を中心にした弧状方向に移動しやすいからである。
【００６１】
＜３−５．指の移動方向の範囲＞
図７に示すように、ユーザの指は操作領域１３２に対して斜め方向に配置される。図７において、基準線の方向が操作領域１３２の縦方向となる。この操作領域１３２の縦方向は表示領域１２２における縦方向でもある。
【００６２】
図７では、ユーザの指の方向を基準軸とした時、基準線と基準軸との基準角度がθ度である。すなわち、操作領域１３２の縦方向に対して、ユーザの指はθ度だけ斜め方向に配置されている。この状態において、ユーザは指を伸ばしたり折り曲げたりする。
【００６３】
また、この基準軸方向を第１方向とした時、第１方向は第２方向に向かって第１角度を有する方向を含んでもよい。基準線と指の動作方向（折り曲げ方向）との角度がα度である時、第１方向は第２方向に向かって第１角度（α−θ）度の方向を含むようにしてもよい。指の移動方向が第１角度（α−θ）度だけ基準軸方向とずれていても、この（α−θ）度ずれた方向も第１方向に含まれるようにしてもよい（図７では、（α−θ）度が０度の時、第１方向と第２方向は直交するようにしている）。
【００６４】
すなわち、図７において、第１方向は、基準軸方向から（α−θ）度の第１角度を有する方向までを含む。なお、第２方向も第１方向に向かって第２角度を有する方向（図示せず）までを含ませてもよい。
【００６５】
さらに、第１方向と第２方向との間に位置する方向に指を移動させた時（第１方向にも第２方向にも含まれない方向に指を移動させた時）は、ポインタ１２６が表示領域を移動しないようにしてもよい。
【００６６】
＜３−６．指の配置状態の検出＞
操作領域１３２として、静電容量方式だけでなく、マトリクス方式や画像認識方式等を用いても、指の配置状態や指の接触状態を検出できる。ユーザの指の形状や大きさや向きに応じて、図７に示すような指の基準軸を設定する。そして、設定した基準軸に対して、指の移動方向を検出する。このような検出によって、操作する手が右手であるのか左手であるのかを判別することもできる。
【００６７】
また、図８Ａ、図８Ｂに示すように、ユーザが操作領域１３２で指を移動させた時、指の移動方向の角度を検出させてもよい。左手で形態端末を保持している場合は、図８Ａに示すように、斜め左方向（第１方向）の動作を縦方向動作と判定させ、斜め右方向（第２方向）の動作を横方向の動作と判定させる。右手で形態端末を保持している場合は、図８Ｂに示すように、斜め右方向（第１方向）の動作を縦方向動作と判定させ、斜め左方向（第２方向）の動作を横方向の動作と判定させる。また、第１方向と第２方向との間の方向は縦方向および横方向の動作として判定させず、無効範囲としてもよい。
【００６８】
なお、図８Ａ、図８Ｂに示すように、第１方向は第２方向に向かって第１角度を有する方向を含み、第２方向は第１方向に向かって第２角度を有する方向を含んでいる。また、第１方向と第２方向は互いに直交する領域を含んでいる。さらに、左手で携帯端末を保持しているか、右手で形態端末を保持しているかについては、あらかじめ定義しておいてもよい。
【００６９】
＜まとめ＞
以上のように本実施の形態によれば、操作領域１３２に対して斜め方向の第１方向にユーザの指を移動させた時、ポインタ１２６は表示パネル１２０に対して表示領域１２２を縦方向に移動し、操作領域１３２に対して斜め方向の第２方向にユーザの指を移動させた時、ポインタ１２６は表示パネル１２０に対して表示領域１２２を横方向に移動する。すなわち、ユーザの指を動かす第１方向と第２方向は、表示領域１２２の縦方向または横方向でなくても、ポインタ１２６を表示領域１２２の縦方向または横方向に移動させることができる。
【００７０】
操作領域１３２に対してユーザが指を斜めに配置すると、指の曲げ伸ばしの方向が操作領域１３２に対して斜め方向となる。この指の曲げ伸ばしの方向を第１方向とし、この第１方向と直交する方向を第２方向とすると、ユーザは片手で携帯端末を保持できるとともに、操作領域１３２で無理なく指を移動させることができる。
【００７１】
この結果、ユーザの指の可動範囲は制約されにくくなる。すなわち、ユーザは操作領域１３２で無理なく指を移動させることができるので、操作領域１３２における指の座標位置を表示領域１２２の端部領域まで反映しやすくなる。また、ユーザは操作領域１３２で無理なく指を移動させることができるので、操作精度も向上する。
【産業上の利用可能性】
【００７２】
ここに開示された技術によれば、操作領域における指の座標位置を表示領域の全領域に反映することが容易なので、表示入力装置として有用である。
【符号の説明】
【００７３】
１００    携帯端末
１１０    筐体
１２０    表示パネル
１２２    表示領域
１２４    アイコン
１２６    ポインタ
１３０    操作パネル
１３２    操作領域
１４０    入力ボタン
１５０    可動範囲
１６０    表示入力装置
１７０ａ    輪郭線
１７０ｂ    輪郭線
【図１】
2013020332.tif 000003
【図２】
2013020332.tif 000004
【図３】
2013020332.tif 000005
【図４Ａ】
2013020332.tif 000006
【図４Ｂ】
2013020332.tif 000007
【図５Ａ】
2013020332.tif 000008
【図５Ｂ】
2013020332.tif 000009
【図６Ａ】
2013020332.tif 000010
【図６Ｂ】
2013020332.tif 000011
【図７】
2013020332.tif 000012
【図８Ａ】
2013020332.tif 000013
【図８Ｂ】
2013020332.tif 000014